(57)【特許請求の範囲】
【請求項１】
プリンタ装置の印刷特性に関する情報が記述された情報記述ファイルを印刷データの作成および当該印刷データの出力の少なくとも一方に用いるクライアント装置と、
前記クライアント装置から出力された印刷データを受け取り、この受け取った印刷データを適宜出力するプリンタサーバ装置と、
前記プリンタサーバ装置から出力された印刷データを展開して印刷するプリンタ装置とを備えた印刷システムであって、
前記プリンタサーバ装置は、
前記クライアント装置から出力された印刷データを受け取る受取手段と、
前記受取手段により受け取られた印刷データを一時的に記憶する補助記憶手段と、
前記補助記憶手段により記憶された印刷データを前記プリンタ装置の処理状況に応じて適宜出力するデータ出力手段と、
前記情報記述ファイルを前記クライアント装置によって参照することができるように共有化して記憶するファイル記憶手段と、
前記プリンタ装置において当該プリンタ装置の印刷特性が変更されたときに、前記ファイル記憶手段により記憶された情報記述ファイルを更新する更新手段と
を備えた印刷システム。
【請求項２】
前記プリンタ装置は、
前記印刷特性を設定するための特性データを記憶する特性データ記憶手段と、
前記特性データ記憶手段により記憶された特性データによって設定された印刷特性に従って、前記プリンタサーバ装置から出力された印刷データを展開する展開処理手段と、
前記展開処理手段によって展開された印刷データを印刷する印刷手段とを備え、
前記プリンタサーバ装置の更新手段は、
前記プリンタ装置の特性データ記憶手段により記憶された特性データを調べ、この特性データが変更されたか否かを判定する判定手段と、
前記判定手段の判定結果に基づいて前記特性データが変更されたときに、前記プリンタ装置に向けて、当該プリンタ装置の印刷特性に関する情報を要求するための情報要求命令を出力する情報要求手段と、
前記プリンタ装置が、前記情報要求手段から出力された情報要求命令に応じて前記印刷特性に関する情報を出力したときに、この情報を受け取る情報受取手段と、
前記情報受取手段により受け取られた印刷特性に関する情報を前記ファイル記憶手段により記憶された情報記述ファイルに記述することにより当該情報記述ファイルを更新するファイル更新手段と
を備えてなる請求項１に記載の印刷システム。
【請求項３】
プリンタ装置の印刷特性に関する情報が記述された情報記述ファイルを印刷データの作成および当該印刷データの出力の少なくとも一方に用いるクライアント装置と、印刷データを展開して印刷するプリンタ装置とを備えた印刷システムに用いられ、かつ前記クライアント装置から出力された印刷データを受け取り、この受け取った印刷データを適宜出力するプリンタサーバ装置であって、
前記クライアント装置から出力された印刷データを受け取る受取手段と、
前記受取手段により受け取られた印刷データを一時的に記憶する補助記憶手段と、
前記補助記憶手段により記憶された印刷データを前記プリンタ装置の処理状況に応じて適宜出力するデータ出力手段と、
前記情報記述ファイルを前記クライアント装置によって参照することができるように共有化して記憶するファイル記憶手段と、
前記プリンタ装置において当該プリンタ装置の印刷特性が変更されたときに、前記ファイル記憶手段により記憶された情報記述ファイルを更新する更新手段と
を備えた印刷システムに用いられるプリンタサーバ装置。
【請求項４】
前記更新手段は、
前記プリンタ装置の特性データ記憶手段により記憶された特性データを調べ、この特性データが変更されたか否かを判定する判定手段と、
前記判定手段の判定結果に基づいて前記特性データが変更されたときに、前記プリンタ装置に向けて、当該プリンタ装置の印刷特性に関する情報を要求するための情報要求命令を出力する情報要求手段と、
前記プリンタ装置が、前記情報要求手段から出力された情報要求命令に応じて前記印刷特性に関する情報を出力したときに、この情報を受け取る情報受取手段と、
前記情報受取手段により受け取られた印刷特性に関する情報を前記ファイル記憶手段により記憶された情報記述ファイルに記述することにより当該情報記述ファイルを更新するファイル更新手段と
を備えてなる請求項３に記載の印刷システムに用いられるプリンタサーバ装置。
【請求項５】
プリンタ装置の印刷特性に関する情報が記述された情報記述ファイルを印刷データの作成および当該印刷データの出力の少なくとも一方に用いるクライアント装置と、印刷データを展開して印刷するプリンタ装置とを備えた印刷システムに用いられ、かつ前記クライアント装置から出力された印刷データを受け取り、この受け取った印刷データを適宜出力するプリンタサーバの処理方法であって、
前記クライアント装置から出力された印刷データを受け取る受取工程と、
前記受取工程により受け取られた印刷データを一時的に記憶する補助記憶工程と、
前記補助記憶工程により記憶された印刷データを前記プリンタ装置の処理状況に応じて適宜出力するデータ出力工程と、
前記情報記述ファイルを前記クライアント装置によって参照することができるように共有化して記憶するファイル記憶工程と、
前記プリンタ装置において当該プリンタ装置の印刷特性が変更されたときに、前記ファイル記憶工程により記憶された情報記述ファイルを更新する更新工程と
を備えた印刷システムに用いられるプリンタサーバの処理方法。
【請求項６】
プリンタ装置の印刷特性に関する情報が記述された情報記述ファイルを印刷データの作成および当該印刷データの出力の少なくとも一方に用いるクライアント装置と、印刷データを展開して印刷するプリンタ装置とを備えた印刷システムに用いられ、かつ前記クライアント装置から出力された印刷データを受け取り、この受け取った印刷データを適宜出力するプリンタサーバ装置に含まれるコンピュータを、
前記クライアント装置から出力された印刷データを受け取る受取手段、
前記受取手段により受け取られた印刷データを一時的に記憶する補助記憶手段、
前記補助記憶手段により記憶された印刷データを前記プリンタ装置の処理状況に応じて適宜出力するデータ出力手段、
前記情報記述ファイルを前記クライアント装置によって参照することができるように共有化して記憶するファイル記憶手段、
前記プリンタ装置において当該プリンタ装置の印刷特性が変更されたときに、前記ファイル記憶手段により記憶された情報記述ファイルを更新する更新手段として機能させるプリンタサーバ処理プログラムが前記コンピュータで読取可能に記録されていることを特徴とするプリンタサーバ処理プログラムが記録された記録媒体。
【発明の詳細な説明】
【０００１】
【発明の属する技術分野】
本発明は、通信ネットワーク等を介して接続されたクライアント装置、プリンタサーバ装置およびプリンタ装置からなる印刷システム、印刷システムに用いられるプリンタサーバ装置、プリンタサーバの処理方法およびプリンタサーバ処理プログラムが記録された記録媒体に関する。
【０００２】
【従来の技術】
通信ネットワーク等を介して接続されたクライアント装置、プリンタサーバ装置およびプリンタ装置からなる印刷システムでは、クライアント装置において、例えば描画ソフト、フォトレタッチソフトまたはワードプロセッサソフト等を起動して、文書および画像の印刷データを作成し、この作成した印刷データをクライアント装置からプリンタサーバ装置に出力する。プリンタサーバ装置は、クライアント装置から出力された印刷データを受け取り、この受け取った印刷データを、プリンタ装置の処理状況に応じてプリンタ装置に向けて適宜出力する。プリンタ装置は、プリンタサーバ装置から出力された印刷データを受け取り、この受け取った印刷データを展開して印刷する。
【０００３】
このとき、プリンタ装置は、当該プリンタ装置が有する印刷特性に従って印刷データを展開し印刷する。印刷特性としては、印刷用紙、フォント、印刷用インク、再現可能な色数または色範囲、ページ記述言語の展開等に関する特性等が挙げられる。
【０００４】
また、このようなプリンタ装置の印刷特性に関する情報は、クライアント装置において、印刷データを作成するとき、および印刷データをプリンタサーバ装置およびプリンタ装置に出力するときに、クライアント装置に設けられたプリンタドライバまたは上述した描画ソフト等のアプリケーションソフトウェアによって利用される。このため、上述したプリンタ装置の印刷特性に関する情報は、プリンタ記述ファイルに記述され、クライアント装置側に提供される。例えば、ページ記述言語としてポストスクリプト言語（ＰｏｓｔＳｃｒｉｐｔはＡｄｏｂｅＳｙｓｔｅｍｓＩｎｃｏｒｐｏｒａｔｅｄ社の商標）を用いて記述された印刷データを展開して印刷するプリンタ装置の場合、プリンタ装置の印刷特性に関する情報は、ＰＰＤ（ＰｏｓｔＳｃｒｉｐｔＰｒｉｎｔｅｒ Ｄｅｓｃｒｉｐｔｉｏｎ）ファイルと呼ばれるプリンタ記述ファイルに記述され、クライアント装置に提供される。
【０００５】
【発明が解決しようとする課題】
ところで、プリンタ装置を異なる別のプリンタ装置に交換したり、プリンタ装置に新たなフォントを追加することによって、プリンタ装置の印刷特性を変更した場合には、プリンタ装置の印刷特性に関する情報が記述されたプリンタ記述ファイルを書き換える必要が生じる。このような場合、ユーザーは、プリンタ記述ファイルをテキストエディタ等を用いて手動で書き換えなければならない。これでは、ユーザーに負担がかかり、作業性が悪いという問題がある。
【０００６】
また、クライアント装置とプリンタ装置との間で情報のやり取りをする手段を設ければ、クライアント装置は、プリンタ装置の印刷特性が変更されたことを知ることができ、クライアント装置側で用いられるプリンタ記述ファイルを、プリンタ装置の印刷特性の変更に応じて更新することが可能となる。
【０００７】
しかしながら、クライアント装置が印刷データを出力するときの出力速度とプリンタ装置が印刷データを展開し印刷する処理速度との差を吸収するため、または、印刷処理中にクライアント装置から出力された印刷データをため込むために、クライアント装置とプリンタ装置との間にスプーラが設けられる場合がある。このような場合には、クライアント装置とプリンタ装置との情報経路の途中にスプーラが存在するため、クライアント装置とプリンタ装置との間で情報のやり取りを行うことが難しくなる。この結果、クライアント装置側で用いられるプリンタ記述ファイルを、プリンタ装置の印刷特性の変更に応じて更新することが困難になるという問題がある。
【０００８】
本発明は、上述した問題に鑑みなされたものであり、プリンタ装置の印刷特性の変更に応じてプリンタ記述ファイルを容易に更新することができ、作業性を向上させることができる印刷システム、印刷システムに用いられるプリンタサーバ装置、プリンタサーバの処理方法およびプリンタサーバ処理プログラムが記録された記録媒体を提供することを目的としている。
【０００９】
【課題を解決するための手段】
上記課題を解決するために、請求項１の発明は、プリンタ装置の印刷特性に関する情報が記述された情報記述ファイルを印刷データの作成および当該印刷データの出力の少なくとも一方に用いるクライアント装置と、クライアント装置から出力された印刷データを受け取り、この受け取った印刷データを適宜出力するプリンタサーバ装置と、プリンタサーバ装置から出力された印刷データを展開して印刷するプリンタ装置とを備えた印刷システムであって、プリンタサーバ装置は、クライアント装置から出力された印刷データを受け取る受取手段と、受取手段により受け取られた印刷データを一時的に記憶する補助記憶手段と、補助記憶手段により記憶された印刷データをプリンタ装置の処理状況に応じて適宜出力するデータ出力手段と、情報記述ファイルを前記クライアント装置によって参照することができるように共有化して記憶するファイル記憶手段と、プリンタ装置においてプリンタ装置の印刷特性が変更されたときに、ファイル記憶手段により記憶された情報記述ファイルを更新する更新手段とを備えている。
【００１０】
クライアント装置、プリンタサーバ装置およびプリンタ装置は通信ネットワークを介してそれぞれ接続されている。なお、プリンタ装置は、通信ネットワークを介さずに、プリンタサーバ装置に直接接続されていてもよい。
【００１１】
また、印刷データは、描画ソフト、フォトレタッチソフトまたはワードプロセッサソフト等によって作成された文書および画像のデータである。
【００１２】
印刷を実行するとき、クライアント装置は、印刷データをプリンタサーバ装置に向けて出力する。ここで、クライアント装置は、プリンタ装置の印刷特性に関する情報が記述された情報記述ファイルを、印刷データを作成したり、当該印刷データを出力したりするときに使用する。プリンタサーバ装置の受取手段は、クライアント装置から出力された印刷データを受け取り、補助記憶手段は、この受け取られた印刷データを一時的に記憶する。この補助記憶手段は、クライアント装置が印刷データを出力するときの出力速度とプリンタ装置が印刷データを展開し印刷する処理速度との差を吸収する役割およびプリンタ装置が印刷処理等を行っている最中にクライアント装置から出力された印刷データをため込む役割等を果たすものである。そして、出力手段は、プリンタ装置の処理状況に応じて、補助記憶手段により記憶された印刷データをプリンタ装置に向けて出力する。プリンタ装置の展開処理手段は、プリンタサーバ装置から出力された印刷データを展開し、印刷手段は、この展開された印刷データを印刷する。
【００１３】
また、プリンタサーバ装置のファイル記憶手段は、プリンタ装置の印刷特性に関する情報が記述された情報記述ファイルをクライアント装置によって参照することができるように共有化して記憶している。プリンタ装置の印刷特性としては、例えば、印刷用紙、フォント、印刷用インク、再現可能な色数または色範囲、ページ記述言語の展開等に関する特性を挙げることができ、プリンタ装置における印刷データの展開および印刷は、これら印刷特性に従って実行される。そして、印刷特性に関する情報としては、例えば、使用可能な印刷用紙の種類やサイズを示す情報、使用可能なフォントの種類を示す情報、使用可能な印刷用インクの種類を示す情報、再現可能な色数または色範囲を示す情報、展開可能なページ記述言語の種類を示す情報等を挙げることができる。
【００１４】
さて、プリンタ装置が、異なる別のプリンタ装置の交換されたときや、プリンタ装置内に記憶された印刷特性を設定するための特性データが変更（追加、削除、置換）されると、プリンタ装置の印刷特性が変更される。このように、プリンタ装置の印刷特性が変更されると、プリンタサーバ装置の更新手段は、ファイル記憶手段に記憶された情報記述ファイルを更新する。これにより、プリンタ装置の印刷特性の変更に応じて、情報記述ファイルを自動的に更新することができる。
【００１５】
さらに、情報記述ファイルは、プリンタサーバ装置のファイル記憶手段に記憶されているため、クライアント装置は、プリンタサーバ装置のファイル記憶手段にアクセスすれば、情報記述ファイルを簡単に入手することができる。従って、プリンタ装置の印刷特性が変更されたとき、クライアント装置は、直ちに、更新された情報記述ファイルを入手し、最新の情報記述ファイルを、クライアント装置のプリンタドライバまたはアプリケーションソフトウェアに提供することができる。
また、ファイル記憶手段を、クライアント装置によって参照することができるように共有化したから、クライアント装置は、情報記述ファイルを通信ネットワーク等を介して容易に入手することができ、プリンタ装置の印刷特性の変更に応じて更新された最新の情報記述ファイルを、クライアント装置のプリンタドライバまたはアプリケーションソフトウェアに、素早くかつ容易に提供することができる。
【００１６】
請求項２の発明による印刷システムにおいて、プリンタ装置は、印刷特性を設定するための特性データを記憶する特性データ記憶手段と、特性データ記憶手段により記憶された特性データによって設定された印刷特性に従って、プリンタサーバ装置から出力された印刷データを展開する展開処理手段と、展開処理手段によって展開された印刷データを印刷する印刷手段とを備えており、プリンタサーバ装置の更新手段は、プリンタ装置の特性データ記憶手段により記憶された特性データを調べ、この特性データが変更されたか否かを判定する判定手段と、判定手段の判定結果に基づいて特性データが変更されたときに、プリンタ装置に向けて、当該プリンタ装置の印刷特性に関する情報を要求するための情報要求命令を出力する情報要求手段と、プリンタ装置が、情報要求手段から出力された情報要求命令に応じて印刷特性に関する情報を出力したときに、この情報を受け取る情報受取手段と、情報受取手段により受け取られた印刷特性に関する情報をファイル記憶手段により記憶された情報記述ファイルに記述することにより当該情報記述ファイルを更新するファイル更新手段とを備えている。
【００１７】
このように、プリンタサーバ装置の更新手段によれば、プリンタ装置の印刷特性の変更を、特性データの変更を調べることによって容易に認識することができる。そして、特性データが変更されときには、プリンタ装置に対して、印刷特性に関する情報のすべてまたは一部を引き出して、これを情報記述ファイルに記述することにより、容易に情報記述ファイルを更新することができる。なお、特性データとは、プリンタ装置の印刷特性を設定するための数値データ、関数データ、変換式、変換制御プログラム等である。
【００１８】
【００１９】
【００２０】
【００２１】
請求項３の発明は、プリンタ装置の印刷特性に関する情報が記述された情報記述ファイルを印刷データの作成および当該印刷データの出力の少なくとも一方に用いるクライアント装置と、印刷データを展開して印刷するプリンタ装置とを備えた印刷システムに用いられ、かつ前記クライアント装置から出力された印刷データを受け取り、この受け取った印刷データを適宜出力するプリンタサーバ装置であって、前記クライアント装置から出力された印刷データを受け取る受取手段と、前記受取手段により受け取られた印刷データを一時的に記憶する補助記憶手段と、前記補助記憶手段により記憶された印刷データを前記プリンタ装置の処理状況に応じて適宜出力するデータ出力手段と、前記情報記述ファイルを前記クライアント装置によって参照することができるように共有化して記憶するファイル記憶手段と、前記プリンタ装置において当該プリンタ装置の印刷特性が変更されたときに、前記ファイル記憶手段により記憶された情報記述ファイルを更新する更新手段とを備えている。
プリンタサーバ装置の受取手段は、プリンタ装置の印刷特性に関する情報が記述された情報記述ファイルを、印刷データを作成したり、当該印刷データを出力したりするときに使用するクライアント装置から出力された印刷データを受け取り、補助記憶手段は、この受け取られた印刷データを一時的に記憶する。そして、出力手段は、プリンタ装置の処理状況に応じて、補助記憶手段により記憶された印刷データをプリンタ装置に向けて出力する。また、ファイル記憶手段は、プリンタ装置の印刷特性に関する情報が記述された情報記述ファイルをクライアント装置によって参照することができるように共有化して記憶している。プリンタ装置の印刷特性としては、例えば、印刷用紙、フォント、印刷用インク、再現可能な色数または色範囲、ページ記述言語の展開等に関する特性を挙げることができる。そして、更新手段は、プリンタ装置においてそのプリンタ装置の印刷特性が変更（追加、削除、置換）されると、プリンタ装置の印刷特性が変更される。このように、プリンタ装置の印刷特性が変更されると、プリンタサーバ装置の更新手段は、ファイル記憶手段に記憶された情報記述ファイルを更新する。これにより、プリンタ装置の印刷特性の変更に応じて、情報記述ファイルを自動的に更新することができる。
さらに、情報記述ファイルは、プリンタサーバ装置のファイル記憶手段に記憶されているため、クライアント装置は、プリンタサーバ装置のファイル記憶手段にアクセスすれば、情報記述ファイルを簡単に入手することができる。従って、プリンタ装置の印刷特性が変更されたとき、クライアント装置は、直ちに、更新された情報記述ファイルを入手し、最新の情報記述ファイルを、クライアント装置のプリンタドライバまたはアプリケーションソフトウェアに提供することができる。
また、ファイル記憶手段を、クライアント装置によって参照することができるように共有化したから、クライアント装置は、情報記述ファイルを通信ネットワーク等を介して容易に入手することができ、プリンタ装置の印刷特性の変更に応じて更新された最新の情報記述ファイルを、クライアント装置のプリンタドライバまたはアプリケーションソフトウェアに、素早くかつ容易に提供することができる。
請求項４の発明は、請求項３の発明による印刷システムに用いられるプリンタサーバ装置において、前記更新手段が、前記プリンタ装置の特性データ記憶手段により記憶された特性データを調べ、この特性データが変更されたか否かを判定する判定手段と、前記判定手段の判定結果に基づいて前記特性データが変更されたときに、前記プリンタ装置に向けて、当該プリンタ装置の印刷特性に関する情報を要求するための情報要求命令を出力する情報要求手段と、前記プリンタ装置が、前記情報要求手段から出力された情報要求命令に応じて前記印刷特性に関する情報を出力したときに、この情報を受け取る情報受取手段と、前記情報受取手段により受け取られた印刷特性に関する情報を前記ファイル記憶手段により記憶された情報記述ファイルに記述することにより当該情報記述ファイルを更新するファイル更新手段とを備えている。
更新手段によれば、プリンタ装置の印刷特性の変更を、特性データの変更を調べることによって容易に認識することができる。そして、特性データが変更されときには、プリンタ装置に対して、印刷特性に関する情報のすべてまたは一部を引き出して、これを情報記述ファイルに記述することにより、容易に情報記述ファイルを更新することができる。
請求項５の発明は、プリンタ装置の印刷特性に関する情報が記述された情報記述ファイルを印刷データの作成および当該印刷データの出力の少なくとも一方に用いるクライアント装置と、印刷データを展開して印刷するプリンタ装置とを備えた印刷システムに用いられ、かつ前記クライアント装置から出力された印刷データを受け取り、この受け取った印刷データを適宜出力するプリンタサーバの処理方法であって、前記クライアント装置から出力された印刷データを受け取る受取工程と、前記受取工程により受け取られた印刷データを一時的に記憶する補助記憶工程と、前記補助記憶工程により記憶された印刷データを前記プリンタ装置の処理状況に応じて適宜出力するデータ出力工程と、前記情報記述ファイルを前記クライアント装置によって参照することができるように共有化して記憶するファイル記憶工程と、前記プリンタ装置において当該プリンタ装置の印刷特性が変更されたときに、前記ファイル記憶工程により記憶された情報記述ファイルを更新する更新工程とを備えている。
プリンタサーバの処理方法の受取工程は、プリンタ装置の印刷特性に関する情報が記述された情報記述ファイルを、印刷データを作成したり、当該印刷データを出力したりするときに使用するクライアント装置から出力された印刷データを受け取り、補助記憶工程は、この受け取られた印刷データを一時的に記憶する。そして、出力工程は、プリンタ装置の処理状況に応じて、補助記憶手段により記憶された印刷データをプリンタ装置に向けて出力する。また、ファイル記憶工程は、プリンタ装置の印刷特性に関する情報が記述された情報記述ファイルをクライアント装置によって参照することができるように共有化して記憶している。プリンタ装置の印刷特性としては、例えば、印刷用紙、フォント、印刷用インク、再現可能な色数または色範囲、ページ記述言語の展開等に関する特性を挙げることができる。そして、更新工程は、プリンタ装置においてそのプリンタ装置の印刷特性が変更（追加、削除、置換）されると、プリンタ装置の印刷特性が変更される。このように、プリンタ装置の印刷特性が変更されると、プリンタサーバ方法の更新工程は、ファイル記憶工程で記憶された情報記述ファイルを更新する。これにより、プリンタ装置の印刷特性の変更に応じて、情報記述ファイルを自動的に更新することができる。
さらに、情報記述ファイルは、プリンタサーバの処理方法のファイル記憶工程に記憶されているため、クライアント装置は、プリンタサーバ方法のファイル記憶工程にアクセスすれば、情報記述ファイルを簡単に入手することができる。従って、プリンタ装置の印刷特性が変更されたとき、クライアント装置は、直ちに、更新された情報記述ファイルを入手し、最新の情報記述ファイルを、クライアント装置のプリンタドライバまたはアプリケーションソフトウェアに提供することができる。
また、ファイル記憶工程を、クライアント装置によって参照することができるように共有化したから、クライアント装置は、情報記述ファイルを通信ネットワーク等を介して容易に入手することができ、プリンタ装置の印刷特性の変更に応じて更新された最新の情報記述ファイルを、クライアント装置のプリンタドライバまたはアプリケーションソフトウェアに、素早くかつ容易に提供することができる。
請求項６の発明は、プリンタ装置の印刷特性に関する情報が記述された情報記述ファイルを印刷データの作成および当該印刷データの出力の少なくとも一方に用いるクライアント装置と、印刷データを展開して印刷するプリンタ装置とを備えた印刷システムに用いられ、かつ前記クライアント装置から出力された印刷データを受け取り、この受け取った印刷データを適宜出力するプリンタサーバ装置に含まれるコンピュータを、前記クライアント装置から出力された印刷データを受け取る受取手段、前記受取手段により受け取られた印刷データを一時的に記憶する補助記憶手段、前記補助記憶手段により記憶された印刷データを前記プリンタ装置の処理状況に応じて適宜出力するデータ出力手段、前記情報記述ファイルを前記クライアント装置によって参照することができるように共有化して記憶するファイル記憶手段、前記プリンタ装置において当該プリンタ装置の印刷特性が変更されたときに、前記ファイル記憶手段により記憶された情報記述ファイルを更新する更新手段として機能させるプリンタサーバ処理プログラムが前記コンピュータで読取可能に記録されている。
プリンタ装置の印刷特性の変更に応じて、情報記述ファイルを自動的に更新するようにコンピュータが機能する。従って、プリンタ装置の印刷特性が変更されたときに、ユーザーは、情報記述ファイルをテキストエディタ等を用いて手動で書き換える必要がなくなり、ユーザーの負担を軽減させることができる。
【００２２】
【発明の実施の形態】
以下、本発明の実施の形態を図１ないし図４に従って説明する。
【００２３】
図１は、本実施形態による印刷システムを示す全体構成図である。図１に示すように、印刷システム１００は、プリンタサーバ装置１０、複数のクライアントパーソナルコンピュータ３０（以下、これを「クライアントＰＣ３０」という）およびプリンタ装置５０を備えており、プリンタサーバ装置１０と各クライアントＰＣ３０は通信ネットワーク４０を介して相互に接続されている。また、プリンタ装置５０は、プリンタサーバ装置１０に直接接続されている。
【００２４】
ここで、プリンタサーバ装置１０について説明する。プリンタサーバ装置１０は、パーソナルコンピュータまたはワークステーション等のコンピュータによって構成されている。プリンタサーバ装置１０は、ＣＰＵ１１、ＲＯＭ１２、ＲＡＭ１３、入力部１４、表示部１５、ネットワーク接続用インターフェース（Ｉ／Ｆ）１６、プリンタ接続用インターフェース（Ｉ／Ｆ）１７およびハードディスク２０とを備えており、これらはバスを介して相互に接続されている。
【００２５】
ＣＰＵ１１は、プリンタサーバ装置１０を総括的に制御すると共に、印刷実行時には、各クライアントＰＣ３０から出力された印刷データをスプーリングするための制御を行う。即ち、印刷実行時に、ＣＰＵ１１は、ＲＡＭ１３および必要に応じてハードディスク２０にスプーラとしての記憶領域を形成し、クライアントＰＣ３０から出力された印刷データを、このスプーラに一時的に記憶する。そして、ＣＰＵ１１はプリンタ装置５０の展開処理および印刷処理の進行状況等を監視し、プリンタ装置５０が印刷データを受け入れることができる状況となったときに、スプーラに記憶された印刷データをプリンタ装置５０に向けて出力する。これにより、クライアントＰＣ３０が印刷データを出力するときの出力速度とプリンタ装置５０が印刷データを展開し印刷する処理速度との差を吸収することができると共に、プリンタ装置５０が印刷処理等を行っている最中にクライアントＰＣ３０から出力された印刷データをため込むことができる。ここで、印刷データとは、描画ソフト、フォトレタッチソフトまたはワードプロセッサソフト等によって作成された画像および文書等のデータである。
【００２６】
さらに、ＣＰＵ１１は、図４に示す更新プログラムに基づいて、後述のプリンタ記述ファイルの更新を行う。
【００２７】
ＲＯＭ１２には、プリンタサーバ装置１０を総括的に制御するためのプログラム、印刷データをスプーリングするためのプログラム、図４に示す更新プログラムや各種データ等が記憶されている。
【００２８】
ＲＡＭ１３は、印刷実行時にはスプーラとして使用される。また、プリンタ記述ファイルの更新を行うときには、新たなプリンタ記述ファイルを作成するための作業エリアとしても使用される。
【００２９】
入力部１４は、プリンタサーバ装置１０にデータまたはコマンドを入力するもので、キーボード、マウスまたはスイッチパネル等によって構成されている。表示部１５は、入力部１４によってプリンタサーバ装置１０に入力したデータまたはコマンドの確認やプリンタサーバ装置１０の動作状況の確認等のために文字、数値および画像等を表示するものであり、例えばＣＲＴディスプレイまたは液晶ディスプレイ等により構成されている。
【００３０】
ネットワーク接続用インターフェース１６は、プリンタサーバ装置１０を通信ネットワーク４０に接続し、通信ネットワーク４０からプリンタサーバ装置１０に向けて送られてくるデータの入力制御、およびプリンタサーバ装置１０から通信ネットワーク４０に送るデータの出力制御等を行うものである。プリンタ接続用インターフェース１７は、プリンタサーバ装置１０から各プリンタ装置５０に向けて送られるデータの出力制御、および各プリンタ装置５０からプリンタサーバ装置１０に送られてくるデータの入力制御等を行うものである。
【００３１】
ハードディスク２０には、後述のプリンタ記述ファイルを記憶するためのディレクトリが形成されている。このディレクトリは、各クライアントＰＣ３０によって共有されている。従って、ユーザーは、各クライアントＰＣ３０によってこのディレクトリにアクセスすることができ、このディレクトリ内に記憶されたプリンタ記述ファイルをクライアントＰＣ３０の記憶部３４等にコピーすることができる。
【００３２】
次に、プリンタ装置５０について説明する。プリンタ装置５０は、プリンタサーバ装置１０にプリンタ接続用インターフェース１７を介して接続されている。プリンタ装置５０は、プリンタサーバ装置１０から出力された印刷データを展開し、印刷するものである。また、プリンタ装置５０には、図１に示すように、書き換え可能なメモリからなる特性データ記憶部５１が設けられ、この特性データ記憶部５１には後述する特性データが記憶されている。
【００３３】
なお、図１には、プリンタサーバ装置１０に、１台のプリンタ装置５０が接続されているが、プリンタ装置５０の数は２台以上でもよい。また、プリンタ装置５０をプリンタサーバ装置１０にプリント接続用インターフェース１７を介して接続するのではなく、通信ネットワーク４０に接続してもよい。
【００３４】
次に、各クライアントＰＣ３０について説明する。クライアントＰＣ３０は、ＣＰＵ３１、ＲＯＭ３２、ＲＡＭ３３、記憶部３４、入力部３５、表示部３６およびネットワーク接続用インターフェース３７を備えており、これらはバスを介して相互に接続されている。さらに詳しく説明すると、ＣＰＵ３１は、クライアントＰＣ３０の動作を制御するものであり、ＲＯＭ３２には、クライアントＰＣ３０の動作を制御するためのプログラム等が記憶されている。ＲＡＭ３３は、ＣＰＵ３１が前記プログラム等を実行するときの作業エリア等として使用されるものであり、記憶部３４は、ハードディスク等によって構成されている。入力部３５はキーボードおよびマウス等により構成され、クライアントＰＣ３０にデータやコマンドを入力するためのものである。表示部３６は、ＣＲＴディスプレイまたは液晶ディスプレイ等によって構成されている。ネットワーク接続用インターフェース３７は、クライアントＰＣ３０を通信ネットワーク４０に接続し、クライアントＰＣ３０と通信ネットワーク４０との間におけるデータの入出力制御を行うものである。さらに、各クライアントＰＣ３０には、フロッピーディスク等の記憶媒体との間でデータの入出力を行うディスクドライブが設けられている。
【００３５】
また、クライアントＰＣ３０の記憶部３４には、プリンタドライバが記憶され、さらに、ワードプロセッサソフト、描画ソフト、フォトレタッチソフト等のアプリケーションソフトウェアが記憶されている。これらのアプリケーションソフトウェアをＣＰＵ３１によって実行すれば、クライアントＰＣ３０によって、印刷データの作成や出力をすることができる。また、クライアントＰＣ３０の記憶部３４には、プリンタサーバ装置１０からコピーされたプリンタ記述ファイルが記憶されている。さらに、クライアントＰＣ３０は、記憶部３４等に記憶されたファイルを通信ネットワーク４０を介してプリンタサーバ装置１０に出力することができる。例えば、フロッピーディスクに記憶された印刷データ（印刷ファイル）を、クライアントＰＣ３０の記憶部３４にコピーし、このコピーした印刷データを、通信ネットワーク４０を介してプリンタサーバ装置１０に出力することができる。
【００３６】
なお、図１によれば、３台のクライアントＰＣ３０が通信ネットワーク４０に接続されているが、クライアントＰＣ３０の接続台数は１台、２台または４台以上でもよい。
【００３７】
次に、プリンタ装置５０の特性データ記憶部５１に記憶された特性データについて説明する。特性データとは、プリンタ装置５０の印刷特性を設定するためのデータである。プリンタ装置５０の印刷特性としては、例えば、印刷用紙、フォント、印刷用インク、再現可能な色数または色範囲、ページ記述言語の展開等に関する特性を挙げることができ、特性データとは、これらの特性を設定するための具体的な数値データ、関数データ、変換式、変換制御プログラム等である。プリンタ装置における印刷データの展開および印刷は、この特性データによって設定された印刷特性に従って実行される。
【００３８】
次に、プリンタサーバ装置１０のハードディスク２０に記憶されたプリンタ記述ファイルについて説明する。プリンタ記述ファイルとは、プリンタ装置５０の印刷特性に関する情報を記述したファイルである。印刷特性に関する情報としては、例えば、使用可能な印刷用紙の種類やサイズを示す情報、使用可能なフォントの種類を示す情報、使用可能な印刷用インクの種類を示す情報、再現可能な色数または色範囲を示す情報、展開可能なページ記述言語の種類を示す情報等を挙げることができる。ここで、図３は、プリンタ記述ファイルの一例を示したものである。図３によるプリンタ記述ファイルには、プリント装置５０によって使用可能な印刷用紙のサイズを示す情報および使用可能なフォントの種類を示す情報等が記述されている。
【００３９】
このプリンタ記述ファイルは、主に、クライアントＰＣ３０において、印刷データを作成するときや、印刷データをクライアントサーバ装置１０側に出力するときに、上述した描画ソフト等のアプリケーションソフトおよびプリントドライバによって利用される。これは、印刷データを作成するときや、印刷データをクライアントサーバ装置１０側に出力するときに、プリンタ装置５０の印刷特性が必要となるからである。本実施形態による印刷システム１００では、プリンタサーバ装置１０のハードディスク２０に記憶されたプリンタ記述ファイルを、クライアントＰＣ３０の記憶部３４にコピーすることにより、プリンタ記述ファイルをクライアントＰＣ３０側にも所持させている。
【００４０】
次に、本実施形態による印刷システム１００の印刷実行時の動作について説明する。
【００４１】
図２に示すように、印刷を実行すると、クライアントＰＣ３０は、印刷データＢをプリンタサーバ装置１０に向けて出力する。プリンタサーバ装置１０は、クライアントＰＣ３０から出力された印刷データＢを受け取り、この受け取った印刷データＢをＲＡＭ１３またはハードディスク２０に形成されたスプーラＤに一時的に記憶する。そして、プリンタ装置５０が印刷データＢを受け入れることができる状況になったとき、プリンタサーバ装置１０は、スプーラＤに記憶された印刷データＢをプリンタ装置５０に向けて出力する。そして、プリンタ装置５０は、プリンタサーバ装置１０から出力された印刷データＢを受け取り、この受け取った印刷データＢを、特性データＣによって設定された印刷特性に従って展開し、印刷する。
【００４２】
次に、本実施形態によるプリンタ記述ファイルの更新処理について説明する。
【００４３】
プリンタ装置５０が、異なる別のプリンタ装置と交換されたときや、プリンタ装置５０の特性データ記憶部５１に記憶された特性データＣが変更（追加、削除、置換）されると、プリンタ装置５０の印刷特性が変更される。例えば、プリンタ装置５０にフォントカートリッジを差し込むことによってフォントデータを変更したときには、使用可能なフォントが変化するため、フォントに関する特性が変更されることになる。このようにプリンタ装置５０が変更されたときに、プリンタサーバ装置１０は、図２に示すように、更新プログラムＥに基づいてプリンタ記述ファイルＡを更新する。
【００４４】
ここで、プリンタ記述ファイルを更新するための更新プログラムについて、図４のフローチャートを参照しつつ説明する。プリンタサーバ装置１０に電源が投入されると、この更新プログラムがＣＰＵ１１によって実行される。
【００４５】
まず、ステップ１１で１０秒間待機した後、ステップ１２では、プリンタ装置５０の特性データを調べ、特性データが変更されたか否かを判定する。この判定の結果、プリンタ装置５０の特性データが変更されたときには、ステップ１３に移行する。一方、プリンタ装置５０の特性データが変更されていないときには、ステップ１１に戻る。そして、ステップ１１および１２の処理を、特性データが変更されるまで繰り返し実行する。これにより、１０秒毎に、特性データが変更されたか否かチェックされることになる。
【００４６】
ステップ１３では、図２に示すように、プリンタサーバ装置１０からプリンタ装置５０に向けて情報要求命令を出力し、プリンタ装置５０の印刷特性に関する情報を要求する。
【００４７】
ステップ１４では、プリンタ装置５０が前記情報要求命令を受け取り、これに応じて、プリンタ装置５０の印刷特性に関する情報をプリンタサーバ装置１０に出力するのを待つ。そして、プリンタ装置５０から、印刷特性に関する情報が出力され、この情報をプリンタサーバ装置１０が受け取ると、ステップ１５に移行する。
【００４８】
ステップ１５では、プリンタ装置５０から出力された印刷特性に関する情報を記述したプリンタ記述ファイルを作成し、ステップ１６では、この作成した最新のプリンタ記述ファイルを、プリンタサーバ装置１０のハードディスク２０にコピーする。これにより、既に記憶されているプリンタ記述ファイルが、この最新のプリンタ記述ファイルに置き換わり、プリンタ記述ファイルが更新される。そして、処理は、ステップ１１に戻る。
【００４９】
かくして、本実施形態による印刷システム１００によれば、プリンタ装置５０の印刷特性の変更に応じて、プリンタ記述ファイルを自動的に更新することができる。従って、プリンタ装置５０の印刷特性が変更されたときに、ユーザーは、プリンタ記述ファイルをテキストエディタ等を用いて手動で書き換える必要がなくなり、ユーザーの負担を軽減させることができる。これにより、作業性を向上させることができる。
【００５０】
また、プリンタ記述ファイルをプリンタサーバ装置１０のハードディスク２０のディレクトリ内に記憶し、このディレクトリを、各クライアントＰＣ３０によって共有することとしたから、クライアントＰＣ３０は、プリンタ記述ファイルを通信ネットワーク等を介して容易に入手することができ、図２に示すように、プリンタ装置５０の印刷特性の変更に応じて更新された最新のプリンタ記述ファイルを、クライアントＰＣ３０のプリンタドライバまたはアプリケーションソフトウェアに、素早くかつ容易に提供することができる。
【００５１】
なお、前記実施形態では、特性データの変更を調べることによってプリンタ記述ファイルを更新する場合を例に挙げたが、本発明はこれに限るものではない。例えば、プリンタヘッドが交換されたとき、用紙カセットが交換されたとき、またはフォントカードが交換されたときに、プリンタ装置５０に装着されているプリンタヘッドの種類、用紙カセットの種類またはフォントカードの種類を調べ、この結果に基づいてプリンタ記述ファイルを更新してもよい。
【００５２】
また、前記実施形態では、プリンタサーバ装置１０とプリンタ装置５０を別々の装置である場合を例に挙げたが、本発明はこれに限らず、プリンタサーバ装置とプリンタ装置をプリンタサーバ機能とプリンタ機能とを備えた１台の装置によって実現してもよい。
【００５３】
【発明の効果】
以上詳述したとおり、請求項１の発明によれば、プリンタサーバ装置は、プリンタ装置の印刷特性に関する情報が記述された情報記述ファイルを印刷データの作成および当該印刷データの出力の少なくとも一方に用いるクライアント装置から出力された印刷データを受け取る受取手段と、受取手段により受け取られた印刷データを一時的に記憶する補助記憶手段と、補助記憶手段により記憶された印刷データをプリンタ装置の処理状況に応じて適宜出力するデータ出力手段と、情報記述ファイルを前記クライアント装置によって参照することができるように共有化して記憶するファイル記憶手段と、プリンタ装置においてプリンタ装置の印刷特性が変更されたときに、ファイル記憶手段により記憶された情報記述ファイルを更新する更新手段とを備える構成としたから、プリンタ装置の印刷特性の変更に応じて、情報記述ファイルを自動的に更新することができる。従って、プリンタ装置の印刷特性が変更されたときに、ユーザーは、情報記述ファイルをテキストエディタ等を用いて手動で書き換える必要がなくなり、ユーザーの負担を軽減させることができる。これにより、作業性を向上させることができる。また、ファイル記憶手段を、クライアント装置によって参照することができるように共有化したから、クライアント装置は、情報記述ファイルを通信ネットワーク等を介して容易に入手することができ、プリンタ装置の印刷特性の変更に応じて更新された最新の情報記述ファイルを、クライアント装置のプリンタドライバまたはアプリケーションソフトウェアに、素早くかつ容易に提供することができる。
【００５４】
請求項２の発明によれば、プリンタ装置は、印刷特性を設定するための特性データを記憶する特性データ記憶手段と、特性データ記憶手段により記憶された特性データによって設定された印刷特性に従って、プリンタサーバ装置から出力された印刷データを展開する展開処理手段と、展開処理手段によって展開された印刷データを印刷する印刷手段とを備え、プリンタサーバ装置の更新手段は、プリンタ装置の特性データ記憶手段により記憶された特性データを調べ、この特性データが変更されたか否かを判定する判定手段と、判定手段の判定結果に基づいて特性データが変更されたときに、プリンタ装置に向けて、当該プリンタ装置の印刷特性に関する情報を要求するための情報要求命令を出力する情報要求手段と、プリンタ装置が、情報要求手段から出力された情報要求命令に応じて印刷特性に関する情報を出力したときに、この情報を受け取る情報受取手段と、情報受取手段により受け取られた印刷特性に関する情報をファイル記憶手段により記憶された情報記述ファイルに記述することにより当該情報記述ファイルを更新するファイル更新手段とを備える構成としたから、プリンタ装置の印刷特性の変更を、特性データの変更を調べることによって容易に認識することができ、プリンタ装置の印刷特性が変更されたときには、プリンタ装置に対して、印刷特性に関する情報を引き出して、これを情報記述ファイルに記述することにより、容易に情報記述ファイルを更新することができる。
【００５５】
【００５６】
【００５７】
請求項３の発明は、プリンタ装置の印刷特性に関する情報が記述された情報記述ファイルを印刷データの作成および当該印刷データの出力の少なくとも一方に用いるクライアント装置と、印刷データを展開して印刷するプリンタ装置とを備えた印刷システムに用いられ、かつ前記クライアント装置から出力された印刷データを受け取り、この受け取った印刷データを適宜出力するプリンタサーバ装置であって、前記クライアント装置から出力された印刷データを受け取る受取手段と、前記受取手段により受け取られた印刷データを一時的に記憶する補助記憶手段と、前記補助記憶手段により記憶された印刷データを前記プリンタ装置の処理状況に応じて適宜出力するデータ出力手段と、前記情報記述ファイルを前記クライアント装置によって参照することができるように共有化して記憶するファイル記憶手段と、前記プリンタ装置において当該プリンタ装置の印刷特性が変更されたときに、前記ファイル記憶手段により記憶された情報記述ファイルを更新する更新手段とを備える構成としたから、プリンタ装置の印刷特性の変更に応じて、情報記述ファイルを自動的に更新することができる。従って、プリンタ装置の印刷特性が変更されたときに、ユーザーは、情報記述ファイルをテキストエディタ等を用いて手動で書き換える必要がなくなり、ユーザーの負担を軽減させることができる。これにより、作業性を向上させることができる。また、ファイル記憶手段を、クライアント装置によって参照することができるように共有化したから、クライアント装置は、情報記述ファイルを通信ネットワーク等を介して容易に入手することができ、プリンタ装置の印刷特性の変更に応じて更新された最新の情報記述ファイルを、クライアント装置のプリンタドライバまたはアプリケーションソフトウェアに、素早くかつ容易に提供することができる。
【００５８】
請求項４の発明は、請求項３の発明による印刷システムに用いられるプリンタサーバ装置において、前記更新手段が、前記プリンタ装置の特性データ記憶手段により記憶された特性データを調べ、この特性データが変更されたか否かを判定する判定手段と、前記判定手段の判定結果に基づいて前記特性データが変更されたときに、前記プリンタ装置に向けて、当該プリンタ装置の印刷特性に関する情報を要求するための情報要求命令を出力する情報要求手段と、前記プリンタ装置が、前記情報要求手段から出力された情報要求命令に応じて前記印刷特性に関する情報を出力したときに、この情報を受け取る情報受取手段と、前記情報受取手段により受け取られた印刷特性に関する情報を前記ファイル記憶手段により記憶された情報記述ファイルに記述することにより当該情報記述ファイルを更新するファイル更新手段とを備える構成としたから、プリンタ装置の印刷特性の変更を、特性データの変更を調べることによって容易に認識することができ、プリンタ装置の印刷特性が変更されたときには、プリンタ装置に対して、印刷特性に関する情報を引き出して、これを情報記述ファイルに記述することにより、容易に情報記述ファイルを更新することができる。
【００５９】
請求項５の発明は、プリンタ装置の印刷特性に関する情報が記述された情報記述ファイルを印刷データの作成および当該印刷データの出力の少なくとも一方に用いるクライアント装置と、印刷データを展開して印刷するプリンタ装置とを備えた印刷システムに用いられ、かつ前記クライアント装置から出力された印刷データを受け取り、この受け取った印刷データを適宜出力するプリンタサーバの処理方法であって、前記クライアント装置から出力された印刷データを受け取る受取工程と、前記受取工程により受け取られた印刷データを一時的に記憶する補助記憶工程と、前記補助記憶工程により記憶された印刷データを前記プリンタ装置の処理状況に応じて適宜出力するデータ出力工程と、前記情報記述ファイルを前記クライアント装置によって参照することができるように共有化して記憶するファイル記憶工程と、前記プリンタ装置において当該プリンタ装置の印刷特性が変更されたときに、前記ファイル記憶工程により記憶された情報記述ファイルを更新する更新工程とを備える構成としたから、プリンタ装置の印刷特性の変更に応じて、情報記述ファイルを自動的に更新することができる。従って、プリンタ装置の印刷特性が変更されたときに、ユーザーは、情報記述ファイルをテキストエディタ等を用いて手動で書き換える必要がなくなり、ユーザーの負担を軽減させることができる。これにより、作業性を向上させることができる。また、ファイル記憶工程を、クライアント装置によって参照することができるように共有化したから、クライアント装置は、情報記述ファイルを通信ネットワーク等を介して容易に入手することができ、プリンタ装置の印刷特性の変更に応じて更新された最新の情報記述ファイルを、クライアント装置のプリンタドライバまたはアプリケーションソフトウェアに、素早くかつ容易に提供することができる。
【００６０】
請求項６の発明は、プリンタ装置の印刷特性に関する情報が記述された情報記述ファイルを印刷データの作成および当該印刷データの出力の少なくとも一方に用いるクライアント装置と、印刷データを展開して印刷するプリンタ装置とを備えた印刷システムに用いられ、かつ前記クライアント装置から出力された印刷データを受け取り、この受け取った印刷データを適宜出力するプリンタサーバ装置に含まれるコンピュータを、前記クライアント装置から出力された印刷データを受け取る受取手段、前記受取手段により受け取られた印刷データを一時的に記憶する補助記憶手段、前記補助記憶手段により記憶された印刷データを前記プリンタ装置の処理状況に応じて適宜出力するデータ出力手段、前記情報記述ファイルを前記クライアント装置によって参照することができるように共有化して記憶するファイル記憶手段、前記プリンタ装置において当該プリンタ装置の印刷特性が変更されたときに、前記ファイル記憶手段により記憶された情報記述ファイルを更新する更新手段として機能させるプリンタサーバ処理プログラムが前記コンピュータで読取可能に記録されていることにより、プリンタ装置の印刷特性の変更に応じて、情報記述ファイルを自動的に更新するようにコンピュータが機能する。従って、プリンタ装置の印刷特性が変更されたときに、ユーザーは、情報記述ファイルをテキストエディタ等を用いて手動で書き換える必要がなくなり、ユーザーの負担を軽減させることができる。
【００６１】
【図面の簡単な説明】
【図１】  本発明の実施の形態による印刷システムを示すブロック図である。
【図２】  本発明の実施の形態による印刷システムの動作を示す説明図である。
【図３】  本発明の実施の形態におけるプリンタ記述ファイルの一例を示す説明図である。
【図４】  本発明の実施の形態において、プリンタ記述ファイルを更新するための更新プログラムの処理を示すフローチャートである。
【符号の説明】
１０  プリンタサーバ装置
１１  ＣＰＵ（受取手段、出力手段）
１３  ＲＡＭ
２０  ハードディスク（ファイル記憶手段）
３０  クライアントＰＣ（クライアント装置）
５０  プリンタ装置
５１  特性データ記憶部（特性データ記憶手段）
１００  印刷システム
Ａ  プリンタ記述ファイル（情報記述ファイル）
Ｂ  印刷データ
Ｃ  特性データ
Ｄ  スプーラ（補助記憶手段）
【図１】
0003709695.tif 000002
【図２】
0003709695.tif 000003
【図３】
0003709695.tif 000004
【図４】
0003709695.tif 000005